(57)【要約】  本発明は、有益剤含有デリバリー粒子、この粒子を含む組成物およびこれら粒子および組成物の製造方法および使用に関する。洗浄、布地仕上げ、種々の基材、織物または表面にコートするための組成物などに使用される場合、当該粒子は有益剤のデリバリー効率を高め、これにより少量の有益剤を使用することが可能になり、よって有益剤の量を減らすことができる。本発明の粒子は広い範囲の有益剤を使用することができる。【特許請求の範囲】
【請求項１】
コア材とこのコア材の少なくとも一部を囲む壁材とを含む１つ以上の粒子を含み、この粒子がタイプ１粒子、タイプ２粒子、タイプ３粒子、タイプ４粒子およびこれらの混合物からなる群から選択される粒子組成物。
【請求項２】
前記粒子のコア材料が香料の原料、シリコーンオイル、ワックス、炭化水素、高級脂肪酸、エッセンシャルオイル、脂質、肌用冷却剤、ビタミン、日焼け止め剤、酸化防止剤、グリセリン、触媒、漂白粒子、二酸化珪素粒子、悪臭低減剤、臭い調整剤、キレート剤、柔軟剤、虫除け剤、着色料、酸化防止剤、キレート剤、増粘剤、ドレープ形状制御剤、平滑剤、皺防止剤、消毒剤、殺菌剤、微生物制御剤、カビ防止剤、白カビ防止剤、抗ウイルス剤、乾燥剤、耐汚れ剤、汚れ脱離剤、布地鮮化剤、布地鮮度延長剤、塩素系漂白防臭剤、染色堅牢度増進剤、染料移行防止剤、着色料維持剤、蛍光増白剤、退色復元剤、退色防止剤、増白増強剤、磨耗防止剤、耐磨耗剤、布地結着剤、抗磨耗剤、毛羽立ち防止剤、消泡剤、抗泡剤、布地および肌用ＵＶ保護剤、色あせ防止剤、抗アレルギー剤、酵素、防水剤、布地快適剤、抗縮み剤、抗伸張剤、縮み回復剤、スキンケア薬剤、グリセリン、アロエ、ビタミンＥ、シアバター、ココアバターなどの天然活剤、光沢剤、抗菌剤、制汗剤、カチオン重合体、染料およびこれらの混合物からなる群から選択される材料を含むことを特徴とする請求項１記載の粒子組成物。
【請求項３】
前記粒子の壁材がポリアミン、ポリウレア、ポリウレタン、多糖類および変性多糖類、ゲル形成タンパク質、変性セルロース、カルボン酸含有アクリルポリマー、ゼラチン、アラビアゴム、ホルムアルデヒドで架橋された尿素、グルタアルデヒドで架橋された尿素、ホルムアルデヒドで架橋されたメラミン、キチンおよびキトサン、変性キチンおよび変性キトサン、アルギン酸ナトリウム、ラテックス、二酸化珪素、ケイ酸ナトリウムおよびこれらの混合物からなる群から選択される材料を含むことを特徴とする請求項１記載の組成物。
【請求項４】
前記粒子が少なくとも１重量％、約２０〜約９５重量％、約５０〜約９０重量％、または約８０〜約８５重量％の有益剤を含むことを特徴とする請求項１記載の組成物。
【請求項５】
前記粒子のコア材料がその総重量基準で少なくとも約２０重量％、約５０〜約７０重量％、または約６０〜約１００重量％の有益剤を含むことを特徴とする請求項１記載の組成物。
【請求項６】
前記有益剤が香料組成物を含み、前記粒子がその総重量基準で約２０重量％〜約９５重量％、約５０重量％〜約９０重量％、約７０重量％〜約８５重量％、または約８０重量％〜約８５重量％の前記香料組成物を含むことを特徴とする請求項５記載の組成物。
【請求項７】
前記香料組成物がクオドラントＩＩＩ香料原料を含むことを特徴とする請求項６記載の組成物。
【請求項８】
粒子組成物の全量基準で約０．００１％〜約２５％、約０．００１％から約１０％または約０．０１％〜約３％の粒子を含む粒子組成物であって、粒子の総容積重量が１００％で、各タイプの粒子の容積重量が、
ａ）タイプ１粒子、約０％〜約１００％、約５％〜約５０％、または約５％〜約２５％、
ｂ）タイプ２粒子、約０％〜約１００％、約５％〜約５０％、または約５％〜約２５％、
ｃ）タイプ３粒子、約０％〜約１００％、約５％〜約９０％、または約５％〜約２５％、および
ｄ）タイプ４粒子、約０％〜約１００％、約５％〜約５０％、または約５％〜約２５％であり、ただしタイプ１、２、３および４の有益剤含有デリバリー粒子のパーセンテージの合計は、常に１００％であり、前記組成物が任意に界面活性剤、カチオン性ポリマーおよびこれらの混合物からなる群から選択される材料を含む粒子組成物。
【請求項９】
前記粒子のコア材料が
ａ）ＣｌｏｇＰが４．５未満の香料組成物
ｂ）総香料組成物重量基準でＣｌｏｇＰが４．０未満の香料原料を６０％含む香料組成物
ｃ）総香料組成物重量基準でＣｌｏｇＰが３．５未満の香料原料を３５％含む香料組成物
ｄ）総香料組成物重量基準でＣｌｏｇＰが４．０未満の香料原料を４０％と、ＣｌｏｇＰが２．０未満の香料原料を少なくとも１％含む香料組成物
ｅ）総香料組成物重量基準でＣｌｏｇＰが４．０未満の香料原料を４０％と、ＣｌｏｇＰが３．０未満の香料原料を少なくとも１５％含む香料組成物
ｆ）総香料組成物重量基準でブタン酸エステルを少なくとも１％とペンタン酸エステルを少なくとも１％含む香料組成物。
ｇ）総香料組成物重量基準でアリル部分を含むエステルを少なくとも２％とエステル部分を含む別の香料を少なくとも１０％含む香料組成物
ｈ）総香料組成物重量基準でアルキル鎖部分を含むアルデヒドを少なくとも１％含む香料組成物
ｉ）総香料組成物重量基準でブタン酸エステルを少なくとも２％含む香料組成物
ｊ）総香料組成物重量基準でペンタン酸エステルを少なくとも１％含む香料組成物
ｋ）総香料組成物重量基準でアリル部分を含むエステルを少なくとも３％とアルキル鎖部分を含むアルデヒドを１％含む香料組成物
ｌ）総香料組成物重量基準でエステル部分を含む香料を少なくとも２５％とアルキル鎖部分を含むアルデヒドを１％含む香料組成物
ｍ）４−（２，６，６−トリメチル−１−シクロヘキセニル）−３−ブテン−２−オン、３−メチル−４−（２，６，６−トリメチル−１−シクロヘキセン−２−イル）−３−ブテン−２−オン、およびこれらの混合物から選択される材料を総香料組成物重量基準で少なくとも２％含む香料組成物
ｎ）総香料組成物重量基準で少なくとも０．１％のトリデカ−２−エンニトリルおよびマンダリルおよびこれらの混合物を含む香料組成物
ｏ）３，７−ジメチル−６−オクテンニトリル、２−シクロヘキシリデン−２−フェニルアセトニトリルおよびこれらの混合物から選択される材料を総香料組成物重量基準で少なくとも２％含む香料組成物
ｐ）エステル類、アルデヒド類、イオノン類、ニトリル類、ケトン類およびこれらの組み合わせから選択される化合物を含む香料を１つ以上、総香料組成物重量基準で少なくとも８０％含む香料組成物
ｑ）総香料組成物重量基準でアリル部分を含むエステルを少なくとも３％含む香料組成物、１−メチルエチル＝２−メチルブタノアート、エチル＝２−メチルペンタノアート、１，５−ジメチル−１−エテニルヘキシル−４−エニル＝アセタート、ｐ−メンタ−１−エン−８−イル＝アセタート、４−（２，６，６−トリメチル−２−シクロヘキセニル）−３−ブテン−２−オン、４−アセトキシ−３−メトキシ−１−プロペニルベンゼン、２−プロペニル＝シクロヘキサンプロピオナート、３−（１−メチルエチル）−ビシクロ［２．２．１］ヘプタ−５−エン−２−カルボン酸のエチルエステル、１，７，７−トリメチル−ビシクロ［２．２．１］ヘプタン−２−オールアセタート、１，５−ジメチル−１−エテニルヘキサ−４−エニル＝アセタート、ヘキシル＝２−メチルプロパノアート、エチル＝２−メチルブタノアート、４−ウンデカノン、５−ヘプチルジヒドロ−２（３Ｈ）−フラノン、３，７−ジメチル−１，６−ノナジエン−３−オール、３，７−ジメチルオクタ−１，６−ジエン−３−オール、ジメチル−３−シクロヘキセン−１−カルボキシアルデヒド、３，７−ジメチル−６−オクテンニトリル、４−（２，６，６−トリメチル−１−シクロヘキセニル）−３−ブテン−２−オン、トリデカ−２−エンニトリル、パチョリオイル、エチル＝トリシクロ［５．２．１．０］デカン−２−カルボキシラート、２，２−ジメチル−シクロヘキサンプロパノール、ヘキシル＝エタノアート、７−アセチル−１，２，３，４，５，６，７，８−オクタヒドロ−１，１，６，７−テトラメチルナフタレン、アリル＝シクロヘキシロキシアセタート、メチルノニルアセトアルデヒド、１−スピロ［４，５］デカ−７−エン−７−イル−４−ペンテン−１−オン、ジヒドロ−２−メチル−７−オクテン−２−オール、２−（１，１−ジメチルエチル）−シクロヘキサノールの酢酸エステル、ヘキサヒドロ−４，７−メタノイデン−５（６）−イル＝プロピオナート、２−メトキシナフタレン、１−（２，６，６−トリメチル−３−シクロヘキセニル）−２−ブテン−１−オン、１−（２，６，６−トリメチル−２−シクロヘキセニル）−２−ブテン−１−オン、３，７−ジメチルオクタン−３−オール、３−メチル−４−（２，６，６−トリメチル−１−シクロヘキセン−２−イル）−３−ブテン−２−オン、ヘキサン酸の２−プロペニルエステル、（Ｚ）−ノナ−６−エン−１−オール、１−デシルアルデヒド、１−オクタナール、４−ｔ−ブチル−α−メチルヒドロシンナムアルデヒド、アルファ−ヘキシルシンナムアルデヒド、エチル−２，４−ヘキサジエノアート、２−プロペニル＝３−シクロヘキセンプロパノエートおよびこれらの混合物から選択される材料を総香料組成物重量基準で２０％含む香料組成物
ｒ）１−メチルエチル＝２−メチルブタノアート、エチル＝２−メチルペンタノアート、１，５−ジメチル−１−エテニルヘキシル−４−エニル＝アセタート、ｐ−メンタ−１−エン−８−イル＝アセタート、４−（２，６，６−トリメチル−２−シクロヘキセニル）−３−ブテン−２−オン、４−アセトキシ−３−メトキシ−１−プロペニルベンゼン、２−プロペニル＝シクロヘキサンプロピオナート、３−（１−メチルエチル）−ビシクロ［２．２．１］ヘプタ−５−エン−２−カルボン酸のエチルエステル、１，７，７−トリメチル−ビシクロ［２．２．１］ヘプタン−２−オールアセタート、１，５−ジメチル−１−エテニルヘキサ−４−エニル＝アセタート、ヘキシル＝２−メチルプロパノアート、エチル＝２−メチルブタノアート、４−ウンデカノリド、５−ヘプチルジヒドロ−２（３Ｈ）−フラノン、５−ヒドロキシドデカン酸、デカラクトン類、ウンデカラクトン類、３，７−ジメチル−１，６−ノナジエン−３−オール、３，７−ジメチルオクタ−１，６−ジエン−３−オール、ジメチル−３−シクロヘキセン−１−カルボキシアルデヒド、３，７−ジメチル−６−オクテンニトリル、４−（２，６，６−トリメチル−１−シクロヘキセニル）−３−ブテン−２−オン、トリデカ−２−エンニトリル、パチョリオイル、エチル＝トリシクロ［５．２．１．０］デカン−２−カルボキシラート、２，２−ジメチル−シクロヘキサンプロパノール、アリル＝シクロヘキシロキシアセタート、メチルノニルアセトアルデヒド、１−スピロ［４，５］デカ−７−エン−７−イル−４−ペンテン−１−オン、ジヒドロ−２−メチル−７−オクテン−２−オール、２−（１，１−ジメチルエチル）−シクロヘキサノールの酢酸エステル、ヘキサヒドロ−４，７−メタノイデン−５（６）−イル＝プロピオナート、２−メトキシナフタレン、１−（２，６，６−トリメチル−３−シクロヘキセニル）−２−ブテン−１−オン、１−（２，６，６−トリメチル−２−シクロヘキセニル）−２−ブテン−１−オン、３，７−ジメチルオクタン−３−オール、３−メチル−４−（２，６，６−トリメチル−１−シクロヘキセン−２−イル）−３−ブテン−２−オン、ヘキサン酸の２−プロペニルエステル、（Ｚ）−ノナ−６−エン−１−オール、１−デシルアルデヒド、１−オクタナール、４−ｔ−ブチル−α−メチルヒドロシンナムアルデヒド、エチル−２，４−ヘキサジエノアート、２−プロペニル＝３−シクロヘキセンプロパノエートおよびこれらの混合物からなる群から選択される材料を総香料組成物重量基準で少なくとも２０％含む香料組成物
ｓ）ジメチル−３−シクロヘキセン−１−カルボキシアルデヒド、３−メチル−４−（２，６，６−トリメチル−１−シクロヘキセン−２−イル）−３−ブテン−２−オン、パチョリオイル、ヘキサン酸、２−プロペニルエステル、１−オクタナール、１−デシルアルデヒド、（Ｚ）−ノナ−６−エン−１−オール、メチルノニルアセトアルデヒド、エチル＝２−メチルブタノアート、１−メチルエチル＝２−メチルブタノアート、エチル＝２−メチルペンタノアート、４−ヒドロキシ−３−エトキシベンズアルデヒド、４−ヒドロキシ−３−メトキシベンズアルデヒド、３−ヒドロキシ−２−メチル−４−ピロン、３−ヒドロキシ−２−エチル−４−ピロンおよびこれらの混合物からなる群から選択される材料を総香料組成物重量基準で少なくとも５％含む香料組成物
ｔ）総香料組成物重量基準でＣｌｏｇＰが５．０超の香料を１０％未満含む香料組成物
ｕ）ゲラニルパルミテートを含む香料組成物、または
ｖ）第１および任意の第２材料とを含み、第１材料が
（ｉ）ＣｌｏｇＰが少なくとも２で、
（ｉｉ）沸点が２８０℃未満であり、
任意の第２の材料が存在する場合、第２材料が
（ｉ）ＣｌｏｇＰが少なくとも２．５未満で、
（ｉｉ）ＯＤＴが約１００ｐｐｂ未満である、香料組成物を含むことを特徴とする請求項１記載の組成物。
【請求項１０】
粒子組成物をある場に利用する方法であって、この方法は、
ａ）任意にその場を洗浄および／またはすすぎ洗いすること、
ｂ）任意に前記粒子組成物をバインダー材に分散させること、
ｃ）前記場を請求項１に記載の組成物と接触させること、
ｄ）分散させた粒子組成物とバインダーを乾燥させ、硬化させること、
ｅ）粒子組成物にそのコア材を解放するために力を加えること、および
ｆ）前記場を洗浄および／またはすすぎ洗いすることを含むことを特徴とする方法。
【請求項１１】
請求項１に記載の組成物で処理される場。
【請求項１２】
ホルムアルデヒドスキャベンジャーを含むことを特徴とする請求項１記載の組成物。
【請求項１３】
前記コア材料を解放するための力が圧力、摩擦、熱、化学線、レーザー光、電磁照射、化学分解または超音波から選択されることを特徴とする請求項１０記載の方法。
【発明の詳細な説明】
【技術分野】
【０００１】
本発明は、有益剤（ｂｅｎｅｆｉｔ  ａｇｅｎｔ）含有デリバリー粒子、当該粒子を含む組成物および当該粒子および組成物の製造及び使用方法に関する。
【背景技術】
【０００２】
香水、シリコーン、ワックス、風味料、ビタミン剤および柔軟仕上げ剤などの有益剤は、高価であり、パーソナルケア組成物、洗浄組成物および布地用の仕上げ組成物に高濃度で使用された場合にあまり効果がない。その結果、このような有益剤の効果を最大限にすることが望まれている。このような目的を達成するための方法の１つとして、これら有益剤のデリバリー効率を向上させるものがある。しかしながら、有益剤はその物理的または化学的特性が失われてしまうので、あるいは有益剤は他の組成成分または処理される場所と互換性がないので有益剤のデリバリー効率を向上させるのは困難である。
【発明の概要】
【発明が解決しようとする課題】
【０００３】
従って有益剤のデリバリー効率を向上させるデリバリー粒子を含む有益剤が必要とされている。
【課題を解決するための手段】
【０００４】
本発明は、コア材とこれを少なくとも部分的に囲む壁材とを含む有益剤含有デリバリー粒子に関する。また本発明は、この粒子を含む組成物ならびにこれら粒子および組成物の製造および使用方法に関する。
【発明を実施するための形態】
【０００５】
定義
本明細書で言う「消費者製品」とは、市販されている形態で使用または消費され、商業的な製造または変更に供されるものではない乳児養護、美容、布地およびホームケアー、家庭用、女性用ケアー用、健康用、お菓子、および／または飲料製品または用品を意味する。このような製品としてはオムツ、胸当て、ティッシュ；脱色、カラーリング、白髪染め、コンディショニング、洗髪、スタイリングなどの毛髪（人間、犬および／または猫）処理製品、脱臭剤および制汗剤、クレンジング、化粧品、クリーム、ローションおよび他の個人用の局所に用いられる製品およびシェービング用品などのスキンケア製品；布地、硬質表面および布地のその他の面を処理するための製品、エアーケアー、車の手入れ、皿洗い、衣料仕上げ（柔軟剤など）、洗濯洗剤、洗濯および洗浄添加剤および／またはケアー用品、硬質表面洗浄および／または処理および個人または商業用のその他の洗浄等に使用するホームケアーに関する製品および方法；トイレットペーパー、化粧紙、鼻紙および／またはペーパータオル、タンポン、生理用ナプキンに関する製品および／または方法；歯磨き粉、歯磨き用ジェル、歯磨き用リンス、入れ歯用接着剤、歯牙美白剤などのオーラルケアー；咳止めおよび風邪薬、痛み止め、処方薬、ペットの健康および栄養および浄水などの店頭ヘルスケアー商品に関する製品および／または方法；主に間食用にまたは料理の付け合せとしての加工食品（ポテトチップ、トルティアチップス、ポップコーン、プレッツェル、コーンチップス、シリアルバー、野菜チップスまたはクリスプ、スナックミックス、パーティーミックス、穀物チップス、クラッカー、チーズスナック、豚の皮揚げ、コーンスナック、ペレットスナック、膨化スナックおよびベーグルチップス）およびコーヒーなどがある。
【０００６】
本明細書中の「洗浄組成物」なる用語は、特に明記しない限り、顆粒または粉末状の汎用または「重質」洗剤、特に洗浄剤；液、ゲルまたはペースト状の汎用洗剤、特に重質液体型と呼ばれているもの；液体の微細繊維用洗浄剤；食器洗い用洗剤または軽質食器洗い用洗剤特に高発泡タイプのもの；家庭または工業用の種々のタブレット、粒、液体および泡切れのよいタイプの食器洗い機用洗剤；抗菌手洗い用石鹸、マウスウォッシュ、入れ歯洗浄剤、歯磨剤、車またはカーペット用シャンプー、浴室洗浄剤液体洗浄消毒剤などの液体洗浄消毒剤；ヘアーシャンプーおよびヘアーリンス；シャワージェルおよび風呂用発泡剤および金属クリーナー；漂白添加物質及び「染み用スティック」又は前処理型のような洗浄補助剤、乾燥機に加えるシート、乾湿ティッシュパッド、不織基材およびスポンジなどの基材積層（ｓｕｂｓｔｒａｔｅ−ｌａｄｅｎ）製品ならびにスプレーミストなどを含む。
【０００７】
本明細書中の「布地仕上げ組成物」なる用語は、特に明記しない限り、布地柔軟剤組成物、布地改質組成物、布地清浄組成物およびこれらを組み合わせたものを含む。
【０００８】
本明細書中の「有益剤含有デリバリー粒子」なる用語は、香料マイクロカプセルを含むマイクロカプセルを包含する。
【０００９】
本明細書中の「粒子」、「有益剤含有デリバリー粒子」「カプセル」および「マイクロカプセル」なる用語は、同義である。
【００１０】
本明細書中、単数で記載されている用語は、特許請求の範囲においては、当然のことながら１つ以上のものを意味する。
【００１１】
本明細書中の「含む」なる用語は、これに限定されないことを意味する。
【００１２】
本願の試験方法の項に開示されている試験方法は、出願人の発明のパラメーターの各値を測定するために使用されるものである。
【００１３】
特に明記しない限り、成分または組成物の濃度はすべて、当該成分または組成物の活性部分についてのものであり、不純物、例えばこれら成分または組成物の市販されている原料に存在し得る残留溶媒または副生成物は除く。
【００１４】
パーセンテージまたは比率はすべて、特に明記しない限り重量基準で算出されるものである。パーセンテージまたは比率はすべて、特に明記しない限り組成物全体を基準に算出されるものである。
【００１５】
当然のことながら、本明細書を通じて記載されている全ての最大数値限定は、全てのそれより下限の数値をそれが本明細書中に明記されているものとして含む。本明細書を通じて記載されている全ての最小数値限定は、全ての上限の数値をそれが本明細書中に明記されているものとして含む。本明細書を通じて記載されている数値範囲は、当該広い数値範囲内に入るそれより狭い数値範囲をそれが本明細書中に記載されているものとして含む。
【００１６】
有益剤含有デリバリー粒子
本願出願人は、効果的かつ効率的な有益剤のデリバリーを達成するという課題が、コア材およびこれを少なくとも部分的に囲む壁材を含み、物理的および化学的特性の特定の組み合わせを有する有益剤含有デリバリー粒子を採用した場合に経済的な方法で解決されることを発見した。この物理的および化学的特性は、体積加重破壊強さ（Ｖｏｌｕｍｅ  Ｗｅｉｇｈｔｅｄ  Ｆｒａｃｔｕｒｅ  Ｓｔｒｅｎｇｔｈ）によって定義される。デリバリー効果および効率は、各用途について記載した次の体積加重破壊強さを有する粒子を選択することによって調整される。
１）タイプ１有益剤含有デリバリー粒子（タイプ１粒子）。当該粒子は、例えば香りが洗浄溶液中にまたはそこから発散させる必要がある場合に採用される。当該粒子は、約０．８ＭＰａ未満、約０．８ＭＰａ〜約０．１ＭＰａまたは約０．７５ＭＰａ〜約０．２５ＭＰａの体積加重破壊強さを有する。
２）タイプ２有益剤含有デリバリー粒子（タイプ２粒子）。当該粒子は、例えば香りが湿った場（ｗｅｔ  ｓｉｔｕｓ）から発散させる必要がある場合に採用される。当該粒子は、約０．５ＭＰａ〜約２ＭＰａ、約０．８ＭＰａ〜約１．８ＭＰａ、または約１ＭＰａ〜約１．７ＭＰａの体積加重破壊強さを有する。
３）タイプ３有益剤含有デリバリー粒子（タイプ３粒子）。当該粒子は、例えば当該粒子と接触した後に乾燥させた乾燥場から香りを発散させる必要がある場合に採用される。当該粒子は、約１．５ＭＰａまたは約２ＭＰａ〜約５ＭＰａ、または約１．５ＭＰａまたは２ＭＰａ〜約４ＭＰａ、または約１．５ＭＰａまたは２ＭＰａ〜約３ＭＰａの体積加重破壊強さを有する。
４）タイプ４有益剤含有デリバリー粒子（タイプ４粒子）。当該粒子は、場が当該粒子と接触した後に着用または使用中にその場から香りを発散させる必要がある場合に採用される。当該粒子は、約５ＭＰａ〜１６ＭＰａ、約５ＭＰａ〜約９ＭＰａ、または約６ＭＰａ〜約８ＭＰａの体積加重破壊強さを有する。
【００１７】
端的に言えば、いかなる場合において有益性のレベルは、各クラスの有益剤含有デリバリー粒子の所望の量を選択することによって調整される。
【００１８】
ある１つの形態において、出願人は粒子の総容積重量（ｔｏｔａｌ  ｖｏｌｕｍｅ  ｗｉｇｈｔ）が１００％で、各タイプの粒子の容積重量が次のようなものである粒子組成物を開示する、
タイプ１粒子、約０％〜約１００％、約５％〜約５０％、または約５％〜約２５％、
タイプ２粒子、約０％〜約１００％、約５％〜約５０％、または約５％〜約２５％、
タイプ３粒子、約０％〜約１００％、約５％〜約９０％、または約５％〜約２５％、および
タイプ４粒子、約０％〜約１００％、約５％〜約５０％、または約５％〜約２５％。
【００１９】
ただしタイプ１、２、３および４の有益剤含有デリバリー粒子のパーセンテージの合計は、常に１００％であり、１００％を超えることも下回ることもない。
【００２０】
ある１つの形態において、消費者製品を開示し、これはその総質量基準で約０．００１％〜約２５％、約０．００１％〜約１０％、または約０．０１％〜約３％の上記粒子組成物を含む。
【００２１】
ある１つの形態において、洗浄組成物を開示し、これはその総質量基準で約０．００５％〜約１０％、約０．０１〜約３％、または約０．１％〜約１％の上記粒子組成物を含む。
【００２２】
ある１つの形態において、布地仕上げ組成物を開示し、これはその総質量基準で約０．０１％から約３％、または約０．１％〜約１％の上記粒子組成物を含む。
【００２３】
ある１つの形態において、上記粒子組成物が消費者製品、例えば液状の消費者製品に採用される場合、粒子組成物は少なくとも１０％、２０％、３０％、５０％、６０％、７０％、８０％、９０％または１００％の沈殿物を有する。
【００２４】
ある１つの形態において、上記粒子組成物が消費者製品、例えば液状の消費者製品に採用される場合、粒子組成物はこの粒子組成物のマイクロカプセルから消費者製品内に５０％未満、４０％未満、３０％未満、２０％未満、１０％未満または０％のカプセル化されていた有益剤が漏れていてもよい。
【００２５】
本発明で利用可能な壁材としてはポリエチレン、ポリアミド、ポリスチレン、ポリイソプレン、ポリカーボネート、ポリエステル、ポリアクリレート、ポリウレア、ポリウレタン、ポリオレフィン、多糖、エポキシ樹脂、ビニルポリマーおよびこれらの混合物から選択される材料が挙げられる。ある１つの形態において、本発明で利用可能な壁材としては、コア材および有益剤含有デリバリー粒子が採用される環境において使用される材料がデリバリー効果を発揮できるようこれら材料に対して充分な透過性を有する材料が挙げられる。好適な透過性材料としてはホルムアルデヒドまたはグルタアルデヒドと架橋された尿素、ホルムアルデヒドと架橋されたメラミンなどの１つ以上のアミンと１つ以上のアルデヒドとの反応物、任意にグルタアルデヒドと架橋されるゼラチンポリリン酸塩コアセルベート、架橋されたシリコーン流体、ポリイソシアネートと反応したポリアミンおよびこれらの混合物が挙げられる。ある１つの形態において、壁材はホルムアルデヒドと架橋されたメラミンを含む。
【００２６】
本発明で使用可能なコア材としては、香料の原料、シリコーンオイル、ワックス、炭化水素、高級脂肪酸、エッセンシャルオイル、脂質、肌用冷却剤、ビタミン、日焼け止め剤、酸化防止剤、グリセリン、触媒、漂白粒子、二酸化珪素粒子、悪臭低減剤、臭い調整剤、キレート剤、柔軟剤、虫除け剤、着色料、酸化防止剤、キレート剤、増粘剤、ドレープ形状制御剤（ｄｒａｐｅ  ａｎｄ  ｆｏｒｍ  ａｇｅｎｔｓ）、平滑剤（ｓｍｏｏｔｈｎｅｓｓ  ａｇｅｎｔｓ）、皺防止剤、消毒剤、殺菌剤、微生物制御剤、カビ防止剤、白カビ防止剤、抗ウイルス剤、乾燥剤、耐汚れ剤、汚れ脱離剤、布地鮮化剤、布地鮮度延長剤、塩素系漂白防臭剤、染色堅牢度増進剤、染料移行防止剤、着色料維持剤、蛍光増白剤、退色復元剤、退色防止剤、増白増強剤、磨耗防止剤、耐磨耗剤、布地結着剤（ｆａｂｒｉｃ  ｉｎｔｅｇｒｉｔｙ  ａｇｅｎｔｓ）、抗磨耗剤、毛羽立ち防止剤、消泡剤、抗泡剤、布地および肌用ＵＶ保護剤、色あせ防止剤、抗アレルギー剤、酵素、防水剤、布地快適剤、抗縮み剤、抗伸張剤、縮み回復剤、スキンケア薬剤、グリセリン、アロエ、ビタミンＥ、シアバター、ココアバターなどの天然活剤、光沢剤、抗菌剤、制汗剤、カチオン重合体、染料およびこれらの混合物が挙げられる。ある１つの形態において、上記香料原料は、アルコール類、ケトン類、アルデヒド類、エステル類、エーテル類、ニトリルアルカン類からなる群から選択される。ある１つの形態において、上記香料は、アルコール類、ケトン類、アルデヒド類、エステル類、エーテル類、ニトリルアルカン類およびこれらの混合物から選択される香料原料を含む。ある１つの形態において、上記香料は、沸点が２５０℃未満でＣｌｏｇＰが約３未満の香料原料、沸点が約２５０℃超でＣｌｏｇＰが約３超の香料原料、沸点が約２５０℃超でＣｌｏｇＰが約３未満の香料原料、沸点が２５０℃未満でＣｌｏｇＰが約３超の香料原料およびこれらの混合物から選択される香料原料を含む。沸点が約２５０℃未満でＣｌｏｇＰが約３未満の香料原料は、Ｑｕａｄｒａｎｔ  Ｉ香料原料として知られており、沸点が約２５０℃超でＣｌｏｇＰが約３超の香料原料は、Ｑｕａｄｒａｎｔ  ＩＶ香料原料として知られており、沸点が約２５０℃超でＣｌｏｇＰが約３未満の香料原料は、Ｑｕａｄｒａｎｔ  ＩＩ香料原料として知られており、沸点が２５０℃未満でＣｌｏｇＰが約３超の香料原料は、Ｑｕａｄｒａｎｔ  ＩＩＩ香料原料として知られている。ある１つの形態では、上記香料は約２５０℃未満の沸点を有する香料原料を含む。ある１つの形態では、上記香料はＱｕａｄｒａｎｔ  Ｉ，  ＩＩ，  ＩＩＩ香料原料およびこれらの混合物からなる群から選択される香料原料を含む。ある１つの形態では、上記香料はＱｕａｄｒａｎｔ  ＩＩＩ香料原料を含む。好適なＱｕａｄｒａｎｔ  Ｉ，  ＩＩ，  ＩＩＩ及びＩＶ香料原料は、米国特許第６，８６９，９２３号に開示されている。
【００２７】
ある１つの形態では、上記香料はＱｕａｄｒａｎｔ  ＩＶ香料原料を含む。理論に制約されないが、当該Ｑｕａｄｒａｎｔ  ＩＶ香料原料は、香料の匂いのバランスを向上させることができると考えられている。上記香料は香料の総重量基準で約３０％未満、約２０％未満、約１５％未満のＱｕａｄｒａｎｔ  ＩＶ香料原料を含む。
【００２８】
ある１つの形態では、上記有益剤デリバリー粒子のコア材は、
ａ）ＣｌｏｇＰが４．５未満の香料組成物
ｂ）総香料組成物重量基準でＣｌｏｇＰが４．０未満の香料原料を６０％含む香料組成物
ｃ）総香料組成物重量基準でＣｌｏｇＰが３．５未満の香料原料を３５％含む香料組成物
ｄ）総香料組成物重量基準でＣｌｏｇＰが４．０未満の香料原料を４０％と、ＣｌｏｇＰが２．０未満の香料原料を少なくとも１％含む香料組成物
ｅ）総香料組成物重量基準でＣｌｏｇＰが４．０未満の香料原料を４０％と、ＣｌｏｇＰが３．０未満の香料原料を少なくとも１５％含む香料組成物
ｆ）総香料組成物重量基準でブタン酸エステルを少なくとも１％とペンタン酸エステルを少なくとも１％含む香料組成物。
ｇ）総香料組成物重量基準でアリル部分を含むエステルを少なくとも２％とエステル部分を含む別の香料を少なくとも１０％含む香料組成物
ｈ）総香料組成物重量基準でアルキル鎖部分を含むアルデヒドを少なくとも１％含む香料組成物
ｉ）総香料組成物重量基準でブタン酸エステルを少なくとも２％含む香料組成物
ｊ）総香料組成物重量基準でペンタン酸エステルを少なくとも１％含む香料組成物
ｋ）総香料組成物重量基準でアリル部分を含むエステルを少なくとも３％とアルキル鎖部分を含むアルデヒドを１％含む香料組成物
ｌ）総香料組成物重量基準でエステル部分を含む香料を少なくとも２５％とアルキル鎖部分を含むアルデヒドを１％含む香料組成物
ｍ）４−（２，６，６−トリメチル−１−シクロヘキセニル）−３−ブテン−２−オン、３−メチル−４−（２，６，６−トリメチル−１−シクロヘキセン−２−イル）−３−ブテン−２−オン、およびこれらの混合物から選択される材料を総香料組成物重量基準で少なくとも２％含む香料組成物
ｎ）総香料組成物重量基準で少なくとも０．１％のトリデカ−２−エンニトリルおよびマンダリル（ｍａｎｄａｒｉｌ）およびこれらの混合物を含む香料組成物
ｏ）３，７−ジメチル−６−オクテンニトリル、２−シクロヘキシリデン−２−フェニルアセトニトリルおよびこれらの混合物から選択される材料を総香料組成物重量基準で少なくとも２％含む香料組成物
ｐ）エステル類、アルデヒド類、イオノン類、ニトリル類、ケトン類およびこれらの組み合わせから選択される化合物を含む香料を１つ以上、総香料組成物重量基準で少なくとも８０％含む香料組成物
ｑ）総香料組成物重量基準でアリル部分を含むエステルを少なくとも３％含む香料組成物、１−メチルエチル＝２−メチルブタノアート、エチル＝２−メチルペンタノアート、１，５−ジメチル−１−エテニルヘキシル−４−エニル＝アセタート、ｐ−メンタ−１−エン−８−イル＝アセタート、４−（２，６，６−トリメチル−２−シクロヘキセニル）−３−ブテン−２−オン、４−アセトキシ−３−メトキシ−１−プロペニルベンゼン、２−プロペニル＝シクロヘキサンプロピオナート、３−（１−メチルエチル）−ビシクロ［２．２．１］ヘプタ−５−エン−２−カルボン酸のエチルエステル、１，７，７−トリメチル−ビシクロ［２．２．１］ヘプタン−２−オールアセタート、１，５−ジメチル−１−エテニルヘキサ−４−エニル＝アセタート、ヘキシル＝２−メチルプロパノアート、エチル＝２−メチルブタノアート、４−ウンデカノン、５−ヘプチルジヒドロ−２（３Ｈ）−フラノン、３，７−ジメチル−１，６−ノナジエン−３−オール、３，７−ジメチルオクタ−１，６−ジエン−３−オール、ジメチル−３−シクロヘキセン−１−カルボキシアルデヒド、３，７−ジメチル−６−オクテンニトリル、４−（２，６，６−トリメチル−１−シクロヘキセニル）−３−ブテン−２−オン、トリデカ−２−エンニトリル、パチョリオイル、エチル＝トリシクロ［５．２．１．０］デカン−２−カルボキシラート、２，２−ジメチル−シクロヘキサンプロパノール、ヘキシル＝エタノアート、７−アセチル−１，２，３，４，５，６，７，８−オクタヒドロ−１，１，６，７−テトラメチルナフタレン、アリル＝シクロヘキシロキシアセタート、メチルノニルアセトアルデヒド、１−スピロ［４，５］デカ−７−エン−７−イル−４−ペンテン−１−オン、ジヒドロ−２−メチル−７−オクテン−２−オール、２−（１，１−ジメチルエチル）−シクロヘキサノールの酢酸エステル、ヘキサヒドロ−４，７−メタノイデン−５（６）−イル＝プロピオナート、２−メトキシナフタレン、１−（２，６，６−トリメチル−３−シクロヘキセニル）−２−ブテン−１−オン、１−（２，６，６−トリメチル−２−シクロヘキセニル）−２−ブテン−１−オン、３，７−ジメチルオクタン−３−オール、３−メチル−４−（２，６，６−トリメチル−１−シクロヘキセン−２−イル）−３−ブテン−２−オン、ヘキサン酸の２−プロペニルエステル、（Ｚ）−ノナ−６−エン−１−オール、１−デシルアルデヒド、１−オクタナール、４−ｔ−ブチル−α−メチルヒドロシンナムアルデヒド、アルファ−ヘキシルシンナムアルデヒド、エチル−２，４−ヘキサジエノアート、２−プロペニル＝３−シクロヘキセンプロパノエートおよびこれらの混合物から選択される材料を総香料組成物重量基準で２０％含む香料組成物
ｒ）１−メチルエチル＝２−メチルブタノアート、エチル＝２−メチルペンタノアート、１，５−ジメチル−１−エテニルヘキシル−４−エニル＝アセタート、ｐ−メンタ−１−エン−８−イル＝アセタート、４−（２，６，６−トリメチル−２−シクロヘキセニル）−３−ブテン−２−オン、４−アセトキシ−３−メトキシ−１−プロペニルベンゼン、２−プロペニル＝シクロヘキサンプロピオナート、３−（１−メチルエチル）−ビシクロ［２．２．１］ヘプタ−５−エン−２−カルボン酸のエチルエステル、１，７，７−トリメチル−ビシクロ［２．２．１］ヘプタン−２−オールアセタート、１，５−ジメチル−１−エテニルヘキサ−４−エニル＝アセタート、ヘキシル＝２−メチルプロパノアート、エチル＝２−メチルブタノアート、４−ウンデカノリド、５−ヘプチルジヒドロ−２（３Ｈ）−フラノン、５−ヒドロキシドデカン酸、デカラクトン類、ウンデカラクトン類、３，７−ジメチル−１，６−ノナジエン−３−オール、３，７−ジメチルオクタ−１，６−ジエン−３−オール、ジメチル−３−シクロヘキセン−１−カルボキシアルデヒド、３，７−ジメチル−６−オクテンニトリル、４−（２，６，６−トリメチル−１−シクロヘキセニル）−３−ブテン−２−オン、トリデカ−２−エンニトリル、パチョリオイル、エチル＝トリシクロ［５．２．１．０］デカン−２−カルボキシラート、２，２−ジメチル−シクロヘキサンプロパノール、アリル＝シクロヘキシロキシアセタート、メチルノニルアセトアルデヒド、１−スピロ［４，５］デカ−７−エン−７−イル−４−ペンテン−１−オン、ジヒドロ−２−メチル−７−オクテン−２−オール、２−（１，１−ジメチルエチル）−シクロヘキサノールの酢酸エステル、ヘキサヒドロ−４，７−メタノイデン−５（６）−イル＝プロピオナート、２−メトキシナフタレン、１−（２，６，６−トリメチル−３−シクロヘキセニル）−２−ブテン−１−オン、１−（２，６，６−トリメチル−２−シクロヘキセニル）−２−ブテン−１−オン、３，７−ジメチルオクタン−３−オール、３−メチル−４−（２，６，６−トリメチル−１−シクロヘキセン−２−イル）−３−ブテン−２−オン、ヘキサン酸の２−プロペニルエステル、（Ｚ）−ノナ−６−エン−１−オール、１−デシルアルデヒド、１−オクタナール、４−ｔ−ブチル−α−メチルヒドロシンナムアルデヒド、エチル−２，４−ヘキサジエノアート、２−プロペニル＝３−シクロヘキセンプロパノエートおよびこれらの混合物からなる群から選択される材料を総香料組成物重量基準で少なくとも２０％含む香料組成物
ｓ）ジメチル−３−シクロヘキセン−１−カルボキシアルデヒド、３−メチル−４−（２，６，６−トリメチル−１−シクロヘキセン−２−イル）−３−ブテン−２−オン、パチョリオイル、ヘキサン酸、２−プロペニルエステル、１−オクタナール、１−デシルアルデヒド、（Ｚ）−ノナ−６−エン−１−オール、メチルノニルアセトアルデヒド、エチル＝２−メチルブタノアート、１−メチルエチル＝２−メチルブタノアート、エチル＝２−メチルペンタノアート、４−ヒドロキシ−３−エトキシベンズアルデヒド、４−ヒドロキシ−３−メトキシベンズアルデヒド、３−ヒドロキシ−２−メチル−４−ピロン、３−ヒドロキシ−２−エチル−４−ピロンおよびこれらの混合物からなる群から選択される材料を総香料組成物重量基準で少なくとも５％含む香料組成物
ｔ）総香料組成物重量基準でＣｌｏｇＰが５．０超の香料を１０％未満含む香料組成物
ｕ）ゲラニルパルミテートを含む香料組成物、または
ｖ）第１および任意の第２材料とを含み、第１材料が
（ｉ）ＣｌｏｇＰが少なくとも２で、
（ｉｉ）沸点が２８０℃未満であり、
任意の第２の材料が存在する場合、第２材料が
（ｉ）ＣｌｏｇＰが少なくとも２．５未満で、
（ｉｉ）ＯＤＴが約１００ｐｐｂ未満である、香料組成物を含む。
【００２９】
これら香料材料およびこれらと同等なものは、次の会社の１つ以上から入手可能である、Ｆｉｒｍｅｎｉｃｈ社（スイス、ジュネーブ）、Ｇｉｖａｕｄａｎ社（フランス、アルジャントゥーユ）、ＩＦＦ（ニュージャージー州、ヘイズレット）、Ｑｕｅｓｔ社（ニュージャージー州、マウント）、Ｂｅｄｏｕｋｉａｎ社（コネチカット州、ダンベリー）、Ｓｉｇｍａ  Ａｌｄｒｉｃｈ社（ミズーリ州、セントルイス）、Ｍｉｌｌｅｎｉｕｍ  Ｓｐｅｃｉａｌｉｓｔ  Ｃｈｅｍｉｃａｌｓ社（イリノイ州、オリンピアフィールド）、Ｐｏｌａｒｏｎｅ  Ｉｎｔｅｒｎａｔｉｏｎａｌ（ニュージャージー州、ジャージーシティー）、Ｆｒａｇｒａｎｃｅ  Ｒｅｓｏｕｃｅｓ社（ニュージャージー州、キーポイント）およびＡｒｏｍａ  ＆  Ｆｌａｖｏｒ  Ｓｐｅｃｉａｌｉｔｉｅｓ（コネチカット州、ダンベリー）。
【００３０】
有益剤含有デリバリー粒子の製造方法   
本願に開示されている粒子は、米国特許第６，５９２，９９０号および／または同第６，５４４，９２６号ならびにこれらに開示されている実施例に記載の技術を用いて作製することができる。
【００３１】
マイクロカプセルを形成する前に有益剤を乳化するためにアニオン性乳化剤が粒子製造工程中によく使用される。理論に制約されるものではないが、アニオン性の材料は布地仕上げ剤組成物などの組成物中によく見られるカチオン性の界面活性剤と互いに悪影響を及ぼし、これにより上記組成物に用いられた粒子の美観的に望ましくない凝集が生じる。美観的に望ましくないことに加えて、このような凝集は、バルク相からの急激な相分離を引き起こす。出願人はこのような凝集は、塩、ポリマーおよびこれらの混合物からなる群から選択される材料を含む特定の凝集防止剤を加えることによって防ぐことができることを発見した。有効な凝集防止剤としては、２価の塩、例えば塩化マグネシウム、酢酸マグネシウム、リン酸マグネシウム、ギ酸マグネシウム、ホウ化マグネシウム、チタン酸マグネシウム、硫酸マグネシウム七水和物などのマグネシウム塩、塩化カルシウム、ギ酸カルシウム、酢酸カルシウム、臭化カルシウムなどのカルシウム塩、３価の塩、例えば硫酸アルミニウム、リン酸アルミニウム、塩化アルミニウムｎ−水和物などのアルミニウム塩およびアニオン性粒子を懸濁できる懸濁ポリマー、例えばポリエチレンイミン、アルコキシル化ポリエチレンイミン、ポリクオタニウム−６およびポリクオタニウム−７が挙げられる。
【００３２】
本発明のある１つの形態では、有益剤含有デリバリー粒子が製造され、その後粒子が例えば界面活性剤、ポリマーおよび溶媒などを含むバルク環境に晒された際に粒子から有益剤が漏れる割合を減少させるために適当な材料でコートされる。バリアー材として機能することが可能なコーティング材としては、ポリビニルピロリドンホモポリマーおよびそのスチレン、ビニルアセテート、イミダゾール、一級および二級アミン含有モノマー、メチルアクリレート、ポリビニルアセタール、無水マレイン酸との種々の共重合体；ポリビニルアルコールホモポリマーおよびそのビニルアセテート、２−アクリルアミド−２−メチルプロパンスルフォネート、一級および二級アミン含有モノマー、イミダゾール、メチルアクリレートとの種々の共重合体；ポリアクリル酸；マイクロクリスタリン・ワックス；パラフィンワックス；蝋状トウモロコシスターチまたはデントコーンスターチ、オクテニルコハク酸化スターチ、ヒドロキシエチル化またはヒドロキシプロピル化スターチなどの誘導体化スターチ、カラギーナン、グアールガム、ペクチン、キサンタンガムなどの変性多糖類；加水分解した酢酸セルロース、ヒドロキシプロピルセルロース、メチルセルロースなどの変性セルロース類、ゼラチンなどの変性プロテイン；水素化及び非水素化ポリアルケン類；脂肪酸類；ホルムアルデヒドと架橋した尿素などの硬化殻、ゼラチン−ポリリン酸塩、メラミン−ホルムアルデヒド、四ホウ酸ナトリウム若しくはグルテルアルデヒドと架橋したポリビニルアルコール；スチレン−ブタジエン、エチルセルロースなどのラテックス類、ケイ酸マグネシウム、アルミノシリケート、ケイ酸ナトリウムなどのクレーなどの無機材料並びにこれらの混合物からなる群より選択される材料が挙げられる。これらの材料は、米国、カリフォルニア州、サンディエゴ所在のＣＰ  Ｋｅｌｃｏ  Ｃｏｒｐ．社、ドイツ、デュッセルドルフ所在のＤｅｇｕｓｓａ  ＡＧ社、ドイツ、ルートウィヒスハーフェン所在のＢＡＳＦ  ＡＧ社、米国、ニュージャージ州、クランベリー所在のＲｈｏｄｉａ  Ｃｏｒｐ社、米国、テキサス州、ヒューストン所在のＢａｋｅｒ  Ｈｕｇｈｅｓ  Ｃｏｒｐ．社、米国、デラウェアー州、ウィルミングトン所在のＨｅｒｃｕｌｅｓ  Ｃｏｒｐ．社、カナダ、アルバータ州、カルガリー所在のＡｇｒｉｕｍ  Ｉｎｃ．社、米国ニュージャージー州所在のＩＳＰなどがから入手可能である。本発明の粒子が布地用調整剤組成物に採用されるある１つの形態において、コーティング材はケイ酸ナトリウムを含む。理論に制約されるものではないが、ケイ酸ナトリウムの高いｐＨでの溶解性および低いｐＨでの溶解性の悪さによってケイ酸ナトリウムは、ｐＨ７未満に処方され、ｐＨが７以上の環境で使用される組成物に使用される粒子にとって最適な材料である。有益剤含有デリバリー粒子は、米国特許第６，５９２，９９０号に記載されている方法に従って作製することができる。しかしながら、本発明のコーティングは、本発明の有益剤含有デリバリー粒子に限定されるものではなく、あらゆる有益剤含有デリバリー粒子にここに開示したコーティングおよびコーティング方法が適用可能である。
【００３３】
ここに開示した方法に使用するのに好適な装置としては、連続撹拌式タンクリアクター、ホモジナイザー、タービンアジテーター、循環ポンプ、櫂形ミキサー、プロウシェアーミキサー、リボンブレンダー、バッチ式または可能である場合には連続工程用に構成された垂直軸グラニュレータおよびドラムミキサー、スプレードライヤーおよび押し出し器などが挙げられる。これらの装置は、Ｌｏｄｉｇｅ  Ｇｍｂｈ社（ドイツ、パーダーボルン）、Ｌｉｔｔｌｅｆｏｒｄ  Ｄａｙ，  Ｉｎｃ．社（米国、ケンタッキー州、フローレンス）、Ｆｏｒｂｅｒｇ  ＡＳ（ノルウェー、ラルビク）、Ｇｌａｔｔ  Ｉｎｇｅｎｉｅｕｒｔｅｃｈｎｉｋ  Ｇｍｂｈ社（ドイツ、ワイマール）、Ｎｉｒｏ社（デンマーク、ソーボルグ）、Ｈｏｓｏｋａｗａ  Ｂｅｐｅｘ  Ｃｏｒｐ．社（米国、ミネソタ州、ミネアポリス）、Ａｒｄｅ  Ｂａｒｉｎｃｏ社（米国、ニュージャージー州）などから入手可能である。
【００３４】
ホルムアルデヒド掃除（Ｆｏｒｍａｌｄｅｈｙｄｅ  Ｓｃａｖｅｎｇｉｎｇ）
ある１つの形態において、有益剤含有デリバリー粒子をホルムアルデヒドスキャベンジャーと組み合わせてもよい。ある１つの形態において、このような有益剤含有デリバリー粒子は本発明の有益剤含有デリバリー粒子を含んでもよい。好適なホルムアルデヒドスキャベンジャーとしては、亜硫酸水素ナトリウム、尿素、エチレンウレア、システイン、シスタミン、リジン、グリシン、セリン、カルノシン、ヒスチジン、グルタチオン、３，４−ジアミノ安息香酸、アラントイン、グリコウリル、アントラニル酸、メチルアントラニル酸塩、メチル４−アミノベンゾエート、エチルアセトアセテート、アセトアセトアミド、マロンアミド、アスコルビン酸、１，３−ジヒドロキシアセトンダイマー、ビウレット、オキサミド、ベンゾグアナミン、ピログルタミン酸、ピロガロール、メチルガラート、エチルガラート、プロピルガラート、トリエタノールアミン、コハク酸アミド、チアベンダゾール、ベンゾトリアゾール、チアゾール、インドリン、スルファニル酸、オキサミド、ソルビトール、グルコース、セルロース、ポリ（ビニルアルコール）、部分加水分解ポリ（ビニルホルムアミド）、ポリ（ビニルアミン）、ポリ（エチレンイミン）、ポリ（オキシアルキレンアミン）、ポリ（ビニルアルコール）−コ−ポリ（ビニルアミン）、ポリ（４−アミノスチレン）、ポリ（１−リシン）、キトサン、ヘキサンジオール、エチレンジアミン−Ｎ，Ｎ’−ビスアセトアセトアミド、Ｎ−（２−エチルヘキシル）アセトアセトアミド、２−ベンゾイルアセトアセトアミド、Ｎ−（３−フェニルプロピル）アセトアセトアミド、リリアル、ヘリオナール、メロナール、トリプラール、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、水酸化アンモニウム、ベンジルアミン、ヒドロキシシトロネロール、シクロヘキサノン、２−ブタノン、ペンタンジオン、デヒドロ酢酸およびこれらの混合物からなる群から選択される材料が挙げられる。これらのホルムアルデヒドスキャベンジャーは、米国、ミズリー州、セントルイス所在のＳｉｇｍａ／Ａｌｄｒｉｃｈ／ｆｌｕｋａ社または米国、ペンシルバニア州、ウォリントン所在のＰｏｌｙＳｃｉｅｎｃｅｓ，  Ｉｎｃ．社より入手可能である。
【００３５】
これらのホルムアルデヒドスキャベンジャーは、通常、上記有益剤含有デリバリー粒子を含むスラリーと組み合わされ、このスラリーは、スラリーの総重量基準で、約２重量％〜約１８重量％、約３．５重量％〜約１４重量％、または約５重量％〜約１３重量％の範囲の量のデリバリー粒子を含む。
【００３６】
ある１つの形態において、これらのホルムアルデヒドスキャベンジャーは、有益剤含有デリバリー粒子を含む製品と組み合わされ、これらスキャベンジャーは、製品の総重量基準で、製品組成の約０．００５％〜約０．８％、または約０．０３％〜約０．５％、または約０．０６５％〜約０．２５％の量でその製品と組み合わされる。
【００３７】
ある１つの形態において、これらのホルムアルデヒドスキャベンジャーは、上記有益剤含有デリバリー粒子を含むスラリーと組み合わせてもよく、このスラリーは、スラリーの総重量基準で、約２重量％〜約１４重量％、約３．５重量％〜約１４重量％、または約５重量％〜約１４重量％の範囲の量のデリバリー粒子を含み、このスラリーは、製品マトリックスに加えてもよく、このマトリックスにはさらに総製品重量基準で、製品組成の約０．００５％〜約０．５％、または約０．０１％〜約０．２５％、または約０．０５％〜約０．１５％の量の同一または異なるスキャベンジャーを加えてもよい。
【００３８】
ある１つの形態において、上述のホルムアルデヒドスキャベンジャーの１つ以上を有益剤含有デリバリー粒子を含む液状の布地向上剤製品と組み合わせてもよく、この製品はその総重量基準で、製品組成の約０．００５％〜約０．８％、または約０．０３％〜約０．４％、または約０．０６％〜約０．２５％の量の有益剤含有デリバリー粒子を含む。
【００３９】
ある１つの形態において、これらのホルムアルデヒドスキャベンジャーは、有益剤含有デリバリー粒子を含む液体洗濯洗剤と組み合わせてもよく、これらホルムアルデヒドスキャベンジャーは、亜硫酸水素ナトリウム、尿素、エチレンウレア、システイン、シスタミン、リジン、グリシン、セリン、カルノシン、ヒスチジン、グルタチオン、３，４−ジアミノ安息香酸、アラントイン、グリコウリル、アントラニル酸、メチルアントラニル酸塩、メチル４−アミノベンゾエート、エチルアセトアセテート、アセトアセトアミド、マロンアミド、アスコルビン酸、１，３−ジヒドロキシアセトンダイマー、ビウレット、オキサミド、ベンゾグアナミン、ピログルタミン酸、ピロガロール、メチルガラート、エチルガラート、プロピルガラート、トリエタノールアミン、コハク酸アミド、チアベンダゾール、ベンゾトリアゾール、チアゾール、インドリン、スルファニル酸、オキサミド、ソルビトール、グルコース、セルロース、ポリ（ビニルアルコール）、部分加水分解ポリ（ビニルホルムアミド）、ポリ（ビニルアミン）、ポリ（エチレンイミン）、ポリ（オキシアルキレンアミン）、ポリ（ビニルアルコール）−コ−ポリ（ビニルアミン）、ポリ（４−アミノスチレン）、ポリ（１−リシン）、キトサン、ヘキサンジオール、エチレンジアミン−Ｎ，Ｎ’−ビスアセトアセトアミド、Ｎ−（２−エチルヘキシル）アセトアセトアミド、２−ベンゾイルアセトアセトアミド、Ｎ−（３−フェニルプロピル）アセトアセトアミド、リリアル、ヘリオナール、メロナール、トリプラール、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、水酸化アンモニウム、ベンジルアミン、ヒドロキシシトロネロール、シクロヘキサノン、２−ブタノン、ペンタンジオン、デヒドロ酢酸およびこれらの混合物からなる群から選択され、液体洗濯洗剤製品の総重量基準で約０．００３重量％〜約０．２０重量％、または約０．０３重量％〜約０．２０重量％、または約０．０６重量％〜約０．１０重量％の量で当該液体洗濯洗剤製品と組み合わされる。
【００４０】
ある１つの形態において、これらのホルムアルデヒドスキャベンジャーは、有益剤含有デリバリー粒子を含むヘアーコンディショニング製品と組み合わせてもよく、この製品はその総重量基準で約０．００３重量％〜約０．３０重量％、または約０．０３重量％〜約０．２０重量％、または約０．０６重量％〜約０．１４重量％の量のデリバリー粒子を含み、この場合のスキャベンジャーは、液体洗濯洗剤製品に関し前の段落に例示したものと同じものが選択される。
【００４１】
有益剤含有デリバリー粒子を含む組成物
本願出願人の組成物は、本願で開示した粒子の態様を含む。ある１つの形態において、この組成物は、消費製品である。採用される粒子の正確な量は、組成物の種類および最終用途により変わるが、組成物は、組成物の総重量基準で、約０．０１〜１０重量％、または約０．１〜約１０重量％、または約０．２〜約５重量％の量のデリバリー粒子を含んでもよい。ある１つの形態において、洗浄組成物は、その総重量基準で、約０．１〜約１重量％の当該粒子を含んでもよい。ある１つの形態において、布地処理組成物は、その総重量基準で約０．０１〜約１０％の当該粒子を含んでもよい。
【００４２】
本発明は、本発明の粒子を洗濯洗剤組成物（例えば、ＴＩＤＥ（商品名））、硬質表面クリーナー（例えば、ＭＲ  ＣＬＥＡＮ（商品名））、自動食器洗い用洗剤（例えば、ＣＡＳＣＡＤＥ（商品名））、食器用洗剤（例えば、ＤＡＷＮ（商品名））および床用クリーナー（例えば、ＳＷＩＦＦＥＲ（商品名））に使用することも包含する。これらの洗浄組成物の例としては、米国特許第４，５１５，７０５号、同第４，５３７，７０６号、同第４，５３７，７０７号、同第４，５５０，８６２号、同第４，５６１，９９８号、同第４，５９７，８９８号、同第４，９６８，４５１号、同第５，５６５，１４５号、同第５，９２９，０２２号、同第６，２９４，５１４号および同第６，３７６，４４５号に記載されているものが挙げられる。ここに開示されている洗浄組成物は、水系洗浄作業に使用されている間、洗浄水のｐＨが約６．５〜約１２、または約７．５〜１０．５の範囲になるように通常処方される。通常、液体食器用洗剤組成物は、約６．８〜約９．０のｐＨを有する。通常、洗浄製品は、約７〜約１２のｐＨを有するように処方される。推奨される使用レベルにｐＨを調整する技術としては、バッファー、アルカリ類、酸類等を使用する方法が挙げられ、これらは当業者によく知られている。
【００４３】
通常、ここに開示されている布地処理組成物は、布地柔軟剤活性物質（ＦＳＡ）を含む。好適な布地柔軟剤活性物質としてはクアット、アミン類、脂肪酸エステル、スクロースエステル、シリコーン、分散性ポリオレフィン、クレー、多糖類、脂肪油、ポリマーラテックスおよびこれらの混合物が挙げられる。
【００４４】
添加剤
本発明の目的において必須ではないが、以下に例示する添加剤は、本発明の組成物に使用するのに適しており、例えば組成物の性能の補助または向上のため、洗浄される基材の処理のため、または香水、着色料、染料などと同様に組成物の外観を変えるために本発明の特定の態様において組み込まれるのが望ましい。当然のことながら、これらの添加剤は、本願出願人のデリバリー粒子およびＦＳＡを介して供給される成分に加えられる。これらの成分の正確な性質およびその添加量は、組成物の物理的形状およびそれが使用される作業の性質によって変わる。好適な添加剤としては、カチオン性ポリマーなどのポリマー、界面活性剤、ビルダー、キレート剤、染料移行防止剤、分散剤、酵素および酵素安定剤、触媒系材料、漂白活性物質、高分子分散剤、土汚れ除去／再付着防止剤、漂白剤、泡抑制剤、染料、追加の香料および香料送達系、構造弾性剤、布地用柔軟材、キャリアー、屈水性誘発物質、加工助剤および／または顔料などが挙げられる。以下の開示に加えて、当該他の添加剤および使用量の好適な例が、米国特許第５，５７６，２８２号、同６，３０６，８１２号および同第６，３２６，３４８号から明らかであり、これらを参照することによって本明細書に引用したものとする。
【００４５】
上述したとおり、これらの添加剤は本願出願人の洗浄および布地処理組成物に必須ではない。従って、本願出願人の組成物の特定の態様では、次の添加剤を含まない、漂白活性物質、界面活性剤、ビルダー、キレート剤、染料移行防止剤、分散剤、酵素および酵素安定剤、触媒系金属錯体、高分子分散剤、土汚れ除去／再付着防止剤、漂白剤、泡抑制剤、染料、追加の香料および香料デリバリー系、構造弾性剤、布地用柔軟材、キャリアー、屈水性誘発物質、加工助剤および／または顔料。しかしながら、１つ以上の添加剤が存在する場合、これら添加剤は、以下に説明するように存在してもよい。
【００４６】
界面活性剤−本発明の組成物は、界面活性剤または界面活性剤系を含んでもよく、この界面活性剤は、非イオン系および／またはアニオン系および／またはカチオン系界面活性剤および／または両性および／または双性および／または半極性非イオン系界面活性剤から選択することができる。通常、界面活性剤は、洗浄組成物の重量で約０．１％〜、または約１％〜、または約５％〜、約９９．９％まで、または８０％まで、または約３５％まで、または約３０％までの範囲の量で存在する。
【００４７】
ビルダー−本発明の組成物は、１つ以上の洗浄剤ビルダーまたはビルダー系を含んでもよい。これらが存在する場合、通常本発明の組成物は、少なくとも１重量％、または約５重量％または１０重量％〜８０重量％、５０重量％または３０重量％までの範囲の量のビルダーを含む。ビルダー例としては、ポリホスフェートのアルカリ金属塩、アンモニウム塩及びアルカノールアンモニウム塩、アルカリ金属シリケート、アルカリ土類及びアルカリ金属の炭酸塩、アルミノシリケートビルダーポリカルボキシレート化合物、エーテルヒドロキシポリカルボキシレート、無水マレイン酸とエチレンまたはビニルメチルエーテルとのコポリマー、１，３，５−トリヒドロキシベンゼン−２，４，６−トリスルホン酸、及びカルボキシメチルオキシコハク酸、エチレンジアミン四酢酸及びニトリロ三酢酸のようなポリ酢酸の様々なアルカリ金属塩、アンモニウム塩及び置換アンモニウム塩、メリト酸、コハク酸、オキシジコハク酸、ポリマレイン酸、ベンゼン１，３，５−トリカルボン酸、カルボキシメチルオキシコハク酸等のポリカルボキシレート、並びにこれらの可溶性塩が含まれるが、これらに限定されない。
【００４８】
キレート剤−本発明の組成物は、任意ではあるが、銅、鉄および／またはマンガンキレート剤の１つ以上を含んでもよい。キレート剤を使用する場合、キレート剤は約０．１重量％〜約１５重量％、または約３．０重量％〜約１５重量％の本発明の組成物を含む。
【００４９】
染料移行防止剤‐本発明の組成物は、１つ以上の染料移行防止剤を含んでもよい。好適な染料移行防止剤としては、ポリビニルピロリドンポリマー、ポリアミンＮ−オキシドポリマー、Ｎ−ビニルピロリドンとＮ−ビニルイミダゾールとのコポリマー、ポリビニルオキサゾリドンおよびポリビニルイミダゾールまたはこれらの混合物が挙げられるが、これらに限定されるものではない。本発明の組成物に染料移行防止剤が存在する場合、染料移行防止剤は、洗浄組成物の約０．０００１重量％〜、または約０．０１重量％〜、または０．０５重量％、約１０重量％まで、または約２重量％まで、または約１重量％までの範囲の量で存在する。
【００５０】
分散剤−本発明の組成物は、分散剤を含んでもよい。好適な水溶性の有機材料としては、ポリカルボン酸が２つ以下の炭素原子で互いに離隔された少なくとも２つのカルボキシ部分を含むホモまたはコポリマー酸またはそれらの塩が挙げられる。
【００５１】
酵素−本発明の組成物は、洗浄性能および／または布地仕上げ効果のある洗浄酵素を１つ以上含んでもよい。好適な酵素としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、アミラーゼおよびこれらの混合物が挙げられるが、これらに限定されるものではない。典型的な酵素の組み合わせは、プロテーゼ、リパーゼ、クチナーゼおよび／またはセルラーゼとアミラーゼなどの従来から利用可能な酵素の混合物である。
【００５２】
酵素安定剤−種々の技法によって、洗剤で使用する酵素を安定化させることができる。本明細書に用いられる酵素は、最終組成物において、カルシウムイオン及び／又はマグネシウムイオンを酵素に供給する、カルシウム及び／又はマグネシウムイオンの水溶性供給源の存在によって安定化させることができる。
【００５３】
触媒金属錯体−本出願人らの洗浄組成物は触媒作用の金属錯体を包含してもよい。金属含有漂白触媒の１つの種類は、銅、鉄、チタン、ルテニウム、タングステン、モリブデン、又はマンガンの陽イオンのような、限定された漂白触媒活性の遷移金属陽イオン、亜鉛又はアルミニウムの陽イオンのような、漂白触媒活性をほとんど又は全くもたない補助金属陽イオン、並びに触媒金属や補助金属の陽イオンに対して限定された安定度定数を有する金属イオン封鎖剤、特にエチレンジアミン四酢酸、エチレンジアミンテトラ（メチレンホスホン酸）及びそれらの水溶性塩を含む触媒系である。このような触媒は、米国特許第４，４３０，２４３号に開示されている。
【００５４】
必要であれば、本発明の組成物は、マンガン化合物によって触媒することができる。そのような化合物およびその使用量は、当業者によく知られており、例えば米国特許第５，５７６，２８２号に開示されているマンガン系の触媒を例として挙げられる。
【００５５】
本発明に有用なコバルト漂白触媒は知られており、例えば米国特許第５，５９７，９３６号および同第５，５９５，９６７号に説明されている。このコバルト触媒は、例えば米国特許第５，５９７，９３６号および同第５，５９５，９６７号に教示されているような公知の方法で簡単に調製することができる。
【００５６】
また本発明の組成物は、好適には、「ＭＲＬ」として略称される巨大多環固定配位子の遷移金属錯体を含んでもよい。実用的な事柄として、限定する目的ではないが、本明細書の組成物及び洗浄方法は、水性洗浄媒体において、およそ少なくとも１億分の１のオーダーの活性ＭＲＬ種を提供するように調整することができ、好ましくは、約０．００５ｐｐｍ〜約２５ｐｐｍ、より好ましくは約０．０５ｐｐｍ〜約１０ｐｐｍ、最も好ましくは約０．１ｐｐｍ〜約５ｐｐｍのＭＲＬ種を洗浄溶液中に提供する。
【００５７】
本遷移金属漂白触媒における好ましい遷移金属として、マンガン、鉄、及びクロムが挙げられる。本明細書の好ましいＭＲＬは、５，１２−ジエチル−１，５，８，１２−テトラアザビシクロ［６．６．２］ヘキサデカンのような、架橋されている特殊な種類の超固定配位子である。
【００５８】
好適な遷移金属ＭＲＬは、例えばＰＣＴ国際公開特許ＷＯ００／３３２６０１及び米国特許第６，２２５，４６４号に教示されているような既知の手順によって容易に調製される。
【００５９】
洗浄組成物の製造及び使用方法
本発明の洗浄組成物は、配合者によって選択されるいずれかの好適な形態に配合することができ、及びいずれかの方法によって調製することができ、それらの非限定例は、米国特許第５，８７９，５８４号、米国特許第５，６９１，２９７号、米国特許第５，５７４，００５号、米国特許第５，５６９，６４５号、米国特許第５，５６５，４２２号、米国特許第５，５１６，４４８号、米国特許第５，４８９，３９２号、米国特許第５，４８６，３０３号に記載され、これらはすべて本明細書に引用したものとする。
【００６０】
使用方法
本明細書に開示される有益剤含有デリバリー粒子を含む組成物は、ある場所、とりわけある表面または衣料を洗浄するために使用できる。通常、この場所の少なくとも一部が、原液の状態または洗浄液などの液体に希釈された状態または分散した粒子組成物とバインダーなどのバインダー材に分散した状態で本願出願人の組成物の１つの態様と接触される。その場所は接触の前および／または後に任意に洗浄および／またはすすがれる。ある１つの形態では、ある場所は任意に洗浄および／またはすすがれ、本発明による粒子またはこの粒子を含む組成物と接触し、それから任意に洗浄および／またはすすがれる。本発明の趣旨上、洗浄には、擦ること及び機械的攪拌が含まれるが、これらに限定されない。ここで言う布地には、通常の消費者の使用条件で洗濯または処理することが可能なほとんどすべての布地が含まれる。ここに開示した組成物を含む洗浄液のｐＨは、約３〜１１．５の範囲にある。通常、このような組成物は、溶液中で約５００ｐｐｍ〜約１５，０００ｐｐｍの濃度で使用される。洗浄溶媒が水である場合、水の温度は、通常約５℃〜約９０℃であり、前記場所が布地を含む場合、水と布地の比は、通常約１：１〜約３０：１である。
【００６１】
粒子組成物がバインダーに分散した粒子を含む場合、分散された粒子組成物とバインダーは、前記場所で乾燥、硬化させることができる。圧力、摩擦、熱、化学線、レーザー光、電磁照射、化学分解または超音波などを用いて、粒子からコア内容物を開放するために使用することができる。
【００６２】
いくつかの用途では、少量のコアがこれらの用途において充分な場合、バインダーに対して１００万分の１の粒子が採用される。その他の用途では、このような組成物は、カプセルとバインダーのスラリー中でカプセルの濃度が組成物の０．００１重量％〜９０重量％で使用される。バインダーは、粒子とバインダーの重量比が３：１〜重量で約０．０００１〜１で使用されるが、これは意図する用途に応じて異なる。上記場所が高分子基材を含む場合、カプセルは１：５の比で、そして好ましくは０．００１：１〜１．２：１の範囲の比で使用される。重質なペーパー面で、粒子とバインダーを１平方メートル当たり２．５〜１２グラム、好ましくは３〜９グラムの塗布量で塗布され、粒子はコーティングの０．００１〜７５重量％存在する。
【００６３】
試験方法
当然のことながら、本願の試験方法の項にて開示される試験方法は、こうした発明が本明細書に記載され、特許請求されるように、本出願人らの発明のパラメータの各値を測定するために使用されなければならない。
【００６４】
（１）破壊強さ（Ｆｒａｃｔｕｒｅ  Ｓｔｒｅｎｇｔｈ）
（ａ）１グラムの粒子を１リットルの蒸留脱イオン（ＤＩ）水に入れる。
（ｂ）粒子を１０分間、ＤＩ水に入れたままにし、粒子をろ過によって回収する。
（ｃ）５０粒の個々の粒子の破断力（ｒｕｐｔｕｒｅ  ｆｏｒｃｅ）の平均値によって粒子の平均破断力を測定する。粒子の破断力は、２００１年発行のＪ．Ｍｉｃｒｏｅｎｃａｐｓｕｌａｔｉｏｎ誌、ｖｏｌ１８，ｎｏ．  ５、５９３−６０２頁、Ｚｈａｎｇ，Ｚ．、Ｓｕｎ，Ｇによる“Ｍｅｃｈａｎｉｃａｌ  Ｐｒｏｐｅｒｔｉｅｓ  ｏｆ  Ｍｅｌａｍｉｎｅ−Ｆｏｒｍａｌｄｅｈｙｄｅ  ｍｉｃｒｏｃａｐｓｕｌｅｓ”に記載されている方法を用いて測定される。平均破断力（ニュートン）を球状粒子の平均断面積（πｒ２、ｒは圧縮される前の粒子の半径である）で除して平均破壊強さを算出する、なお平均断面積は次のように定められる、
（ｉ）    １グラムの粒子を１リットルの蒸留脱イオン（ＤＩ）水に入れる。
（ｉｉ）  粒子を１０分間、ＤＩ水に入れたままにし、粒子をろ過によって回収する。
（ｉｉｉ）２００１年発行のＪ．Ｍｉｃｒｏｅｎｃａｐｓｕｌａｔｉｏｎ誌、ｖｏｌ１８，ｎｏ．  ５、５９３−６０２頁、Ｚｈａｎｇ，Ｚ．、Ｓｕｎ，Ｇによる“Ｍｅｃｈａｎｉｃａｌ  Ｐｒｏｐｅｒｔｉｅｓ  ｏｆ  Ｍｅｌａｍｉｎｅ−Ｆｏｒｍａｌｄｅｈｙｄｅ  ｍｉｃｒｏｃａｐｓｕｌｅｓ”に記載の実験装置および方法を用いて５０粒の個々の粒子の粒径を測定することによって粒子サンプルの粒径分布を測定する。
（ｉｖ）  ５０粒の個々の粒径測定値の平均を求め、平均粒径を得る。
ｄ）カプセルスラリーの場合、サンプルを粒径分布を網羅する３つの粒径区分に分ける。
【００６５】
（２）ＣｌｏｇＰ
「ｌｏｇＰの計算値」（ＣｌｏｇＰ値）は、ハンシュ（Hansch）及びレオ（Leo）のフラグメント手法により求められる（参考として本明細書に組み込まれる、Ａ．レオ、「総括医薬品化学（Comprehensive Medicinal Chemistry）」、第４巻、Ｃ．ハンシュ（C.Hansch）、Ｐ．Ｇ．サメンス（P.G.Sammens）、Ｊ．Ｂ．テイラー（J.B.Taylor）、及びＣ．Ａ．ラムスデン（C.A.Ramsden）編、２９５頁、パーガモン出版（Pergamon Pres）、１９９０年を参照）。ＣｌｏｇＰは、米国、カリフォルニア州、アーバイン所在のＤａｙｌｉｇｈｔ  Ｃｈｅｍｉｃａｌ  Ｉｎｆｏｒｍａｔｉｏｎ  Ｓｙｓｔｅｍｓ  Ｉｎｃ．社より入手可能な「ＣＬＯＧＰ」プログラムを使用して算出してもよい。
【００６６】
（３）沸点
沸点は、ＡＳＴＭ  ＩｎｔｅｒｎａｔｉｏｎａｌによるＡＳＴＭ法Ｄ２８８７−０４ａ「Ｓｔａｎｄａｒｄ  Ｔｅｓｔ  Ｍｅｔｈｏｄ  ｆｏｒ  Ｂｏｉｌｉｎｇ  Ｒａｎｇｅ  Ｄｉｓｔｒｉｂｕｔｉｏｎ  ｏｆ  Ｐｅｔｒｏｌｅｕｍ  Ｆｒａｃｔｉｏｎｓ  ｂｙ  Ｇａｓ  Ｃｈｒｏｍａｔｏｇｒａｐｈｙ」によって測定される。
【００６７】
（４）体積重量分率（Ｖｏｌｕｍｅ  Ｗｅｉｇｈｔ  Ｆｒａｃｔｉｏｎｓ）
体積重量分率は、単一粒子光学検知法（ＳＰＯＳ）、または光粒子計測（ＯＰＣ）と呼ばれる方法で測定される。体積重量分率は米国、カリフォルニア州、サンタバーバラ所在のＰａｒｔｉｃｌｅ  Ｓｉｚｉｎｇ  Ｓｙｓｔｅｍｓ社より供給されるＡｃｃｕＳｉｚｅｒ  ７８０／ＡＤによって測定される。
手順
１）センサーに水をかけてセンサーを冷えた状態にする。
２）バックグラウンド計数が１００未満であることを確認する（１００を超えていたら、再度水をかける）
３）粒子標準を準備する：センサー内で振動している粒子約１ｍｌをピペットで取り、約２カップのＤＩ水で満たされたブレンダーに入れる。これらを混合する。約１ｍｌの希釈されたブレンド粒子をピペットで取り、５０ｍｌのＤＩ水に入れる。
４）粒子標準を測定する：２倍に薄められた標準約１ｍｌをピペットで取り、アキュサイザーバルブに入れる。測定−自動希釈と書かれたボタンを押す。ステータスバーを見て粒子計測値が９２００超であることを確認する。計測値が９２００未満の場合、ストップボタンを押して、さらにサンプルを注入する。
５）測定後にピペットを満たす量の石鹸（５％Ｍｉｃｒｏ９０）をバルブに注入し、「Ｓｔａｒｔ  Ａｕｔｏｍａｔｉｃ  Ｆｌｕｓｈ  Ｃｙｃｌｅｓ」ボタンを押す。
【００６８】
（５）体積加重破壊強さ（Ｖｏｌｕｍｅ  ｗｅｉｇｈｔｅｄ  ｆｒａｃｔｕｒｅ  ｓｔｒｅｎｇｔｈ  （ＶＷＦＳ））
ＶＷＦＳ＝（破壊強さ１ｘ体積分率１（ｖｏｌｕｍｅ  ｆｒａｃｔｉｏｎ））＋（破壊強さ２ｘ体積分率２）＋（破壊強さ３ｘ体積分率３）
破壊強さ１＝１０粒のマイクロカプセル（同じ粒径を有する）から測定された平均破壊強さ
体積分率１＝アキュサイザーによって測定される破壊強さ１に対応する粒度分布の体積分率
体積分率を測定するために破壊強さの広がり（ｓｐｒｅａｄ）を次のように定める。
平均粒径が約１５μｍの粒子バッチの場合、約１０μｍの広がりを用い、平均粒径が約３０μｍの粒子バッチの場合、約１０〜１５μｍの広がりを用いる。
例
2010522778.tif 000002
【００６９】
（６）有益剤の漏れ試験
ａ）有益剤粒子組成物のサンプル１グラムを２つ用意する。
ｂ）１グラムの粒子組成物（サンプル１）を粒子が使用される製品マトリックス９９グラムに加え、第２のサンプルも同様に製品マトリックスに加えられるが、その後すぐに下記工程ｄ）の処理が行われる。
ｃ）上記ａ）の粒子を含む製品マトリックス（サンプル１）を密閉されたガラス製のビン中で２週間、３５℃で放置した。
ｄ）粒子組成物の粒子をｃ）の製品マトリックス（製品マトリックスのサンプル１）および粒子組成物（サンプル２）からろ過して取り出す。
ｅ）上記ｄ）で得られた各粒子サンプルを各サンプルの粒子から有益剤全てを抽出する溶媒で処理する。
ｆ）上記ｅ）で得られた各サンプルの有益剤含有溶媒をガスクロマトグラフィー内に注入し、ピークエリアを積分し、各サンプルから抽出された有益剤の総量を測定する。
ｇ）有益剤の漏れは、サンプル１および２とも上記ｆ）で得られた値とする。
【実施例】
【００７０】
本発明の特定の態様を例示し、説明してきたが、当然のことながら当業者であれば種々の変更および修正が本発明の精神および範囲を逸脱することなく可能である。従って、本発明の範囲内にある当該変更および修正は、全て特許請求の範囲に包含されるものである。
【００７１】
実施例１：８０重量％のコア／２０重量％の尿素系ポリウレア壁のカプセル
尿素（ウィスコンシン州、ミルウォーキー所在のＳｉｇｍａ  Ａｌｄｒｉｃｈ社製）２グラムを２０グラムの脱イオン水に溶かす。レゾルシノール（ウィスコンシン州、ミルウォーキー所在のＳｉｇｍａ  Ａｌｄｒｉｃｈ社製）１グラムをこの均一な尿素溶液に加える。この溶液に３０重量％のホルムアルデヒド溶液（ウィスコンシン州、ミルウォーキー所在のＳｉｇｍａ  Ａｌｄｒｉｃｈ社製）２０グラムを加え、得られたスラリーのｐＨを１Ｍの水酸化ナトリウム溶液（ウィスコンシン州、ミルウォーキー所在のＳｉｇｍａ  Ａｌｄｒｉｃｈ社製）を用いて８．０に調整する。得られた反応物を３５℃で２時間、放置する。別のビーカーで香油８０グラムを得られた尿素−ホルムアルデヒド溶液に徐々に加える。この混合物を間隔をおいて配置された３つのブレードを有する撹拌器を使用したＪａｎｋｅ  ＆  Ｋｕｎｋｅｌ  Ｌａｂｏｒｅｔｅｃｈｎｉｋミキサーを用いて撹拌し、平均油滴径分布が３１ミクロンとなるようにする。スラリーのｐＨを１Ｍの塩酸を用いて３．０に調整し、縮合反応を開始する。溶液を６５℃まで加熱し、一定の温度に保たれた水槽中で混合物の内容物をゆっくりと撹拌しながら反応させる。内容物を６５℃の温度で４時間反応させる。
【００７２】
体積平均破壊強さが１．５ＭＰａと測定される。
【００７３】
実施例２：８５重量％のコア／１５重量％のメラミン系ポリウレア壁のカプセル
第１の混合物を水２００グラムとアルキルアクリレート−アクリル酸コポリマー（米国、ペンシルベニア州、ウォーリントン所在のＰｏｌｙｓｃｉｅｎｃｅｓ  Ｉｎｃ．社製）５グラムを混合することによって調製する。この第１の混合物のｐＨを酢酸で５．０に調整する。
【００７４】
香油を含むカプセル芯材１７８グラムを４５℃の温度の第１混合物に加え、エマルジョンを形成する。カプセルの壁材を形成する材料を次のように調製する。カプセル壁材コポリマーに対応するプレポリマー（ブチルアクリレート−アクリル酸コポリマー）９グラムと９０グラムの水を混合しｐＨを５．０に調整する。この混合物に部分メチル化されたメチロールメラミン樹脂溶液（“Ｃｙｍｅｌ  ３８５”  固形分８０％、Ｃｙｔｅｃ社）２８グラムを加える。この混合物を上記香油と水のエマルジョンに４５℃の温度で撹拌しながら加える。高速で混合して体積平均粒子径を１６ミクロンにする。混合物の温度を徐々に６５℃にまで上げ、この温度で連続的に撹拌しながら、一晩維持し、カプセル化を始め、終了させる。
【００７５】
アクリル酸−アルキルアクリレートコポリマーカプセル壁を形成するために、アルキル基をエチル、プロピル、ブチル、アミル、ヘキシル、シクロヘキシル、２−エチルヘキシルまたは炭素数が１から１６、好ましくは１から８の他のアルキル基から選択することができる。
【００７６】
体積平均破壊強さが３．３ＭＰａと測定される。
【００７７】
実施例３：９０重量％のコア／１０重量％のメラミン系ポリウレア壁のカプセル
第１の混合物を水２０８グラムとアルキルアクリレート−アクリル酸コポリマー（米国、ペンシルベニア州、ウォーリントン所在のＰｏｌｙｓｃｉｅｎｃｅｓ  Ｉｎｃ．社製）５グラムを混合することによって調製する。この第１の混合物のｐＨを酢酸で５．０に調整する。
【００７８】
香油を含むカプセルコア材２８０グラムを４５℃の温度の第１混合物に加え、エマルジョンを形成する。カプセルの壁材を形成する材料を次のように調製する。カプセル壁材コポリマーに対応するプレポリマー（ブチルアクリレート−アクリル酸コポリマー）９グラムと９０グラムの水を混合しｐＨを５．０に調整する。この混合物に部分メチル化されたメチロールメラミン樹脂溶液（“Ｃｙｍｅｌ  ３８５”  固形分８０％、Ｃｙｔｅｃ社）２８グラムを加える。この混合物を上記香油と水のエマルジョンに４５℃の温度で撹拌しながら加える。高速で混合して体積平均粒子径を１８ミクロンにする。混合物の温度を徐々に６５℃にまで上げ、この温度で連続的に撹拌しながら、一晩維持し、カプセル化を始め、終了させる。
【００７９】
アクリル酸−アルキルアクリレートコポリマーカプセル壁を形成するために、アルキル基をエチル、プロピル、ブチル、アミル、ヘキシル、シクロヘキシル、２−エチルヘキシルまたは炭素数が１から１６、好ましくは１から８の他のアルキル基から選択することができる。
【００８０】
体積平均破壊強さが０．５ＭＰａと測定される。
【００８１】
実施例４：８０重量％のコア／２０重量％のメラミン系ポリウレア壁のカプセル
【００８２】
第１の混合物を水２０８グラムとアルキルアクリレート−アクリル酸コポリマー（米国、ペンシルベニア州、ウォーリントン所在のＰｏｌｙｓｃｉｅｎｃｅｓ  Ｉｎｃ．社製）５グラムを混合することによって調製する。この第１の混合物のｐＨを酢酸で５．０に調整する。
【００８３】
香油を含むカプセルコア材１２５グラムを４５℃の温度の第１混合物に加え、エマルジョンを形成する。カプセルの壁材を形成する材料を次のように調製する。カプセル壁材コポリマーに対応するプレポリマー（ブチルアクリレート−アクリル酸コポリマー）９グラムと９０グラムの水を混合しｐＨを５．０に調整する。この混合物に部分メチル化されたメチロールメラミン樹脂溶液（“Ｃｙｍｅｌ  ３８５”  固形分８０％、Ｃｙｔｅｃ社）２８グラムを加える。この混合物を上記香油と水のエマルジョンに４５℃の温度で撹拌しながら加える。高速で混合して体積平均粒子径を１５ミクロンにする。混合物の温度を徐々に６５℃にまで上げ、この温度で連続的に撹拌しながら、一晩維持し、カプセル化を始め、終了させる。
【００８４】
アクリル酸−アルキルアクリレートコポリマーカプセル壁を形成するために、アルキル基をエチル、プロピル、ブチル、アミル、ヘキシル、シクロヘキシル、２−エチルヘキシルまたは炭素数が１から１６、好ましくは１から８の他のアルキル基から選択することができる。
【００８５】
体積平均破壊強さが９．５ＭＰａと測定される。
【００８６】
実施例５：８５重量％のコア／１５重量％のメラミン系ポリウレア壁のカプセル
【００８７】
第１の混合物を水２０８グラムとアルキルアクリレート−アクリル酸コポリマー（米国、ペンシルベニア州、ウォーリントン所在のＰｏｌｙｓｃｉｅｎｃｅｓ  Ｉｎｃ．社製）５グラムを混合することによって調製する。この第１の混合物のｐＨを酢酸で５．０に調整する。
【００８８】
香油を含むカプセルコア材１７８グラムを４５℃の温度の第１混合物に加え、エマルジョンを形成する。カプセルの壁材を形成する材料を次のように調製する。カプセル壁材コポリマーに対応するプレポリマー（ブチルアクリレート−アクリル酸コポリマー）９グラムと９０グラムの水を混合しｐＨを５．０に調整する。この混合物に部分メチル化されたメチロールメラミン樹脂溶液（“Ｃｙｍｅｌ  ３８５”  固形分８０％、Ｃｙｔｅｃ社）２８グラムを加える。この混合物を上記香油と水のエマルジョンに４５℃の温度で撹拌しながら加える。高速で混合して体積平均粒子径を１５ミクロンにする。混合物の温度を徐々に６５℃にまで上げ、この温度で連続的に撹拌しながら、一晩維持し、カプセル化を始め、終了させる。
【００８９】
アクリル酸−アルキルアクリレートコポリマーカプセル壁を形成するために、アルキル基をエチル、プロピル、ブチル、アミル、ヘキシル、シクロヘキシル、２−エチルヘキシルまたは炭素数が１から１６、好ましくは１から８の他のアルキル基から選択することができる。
【００９０】
体積平均破壊強さが１５．１ＭＰａと測定される。
【００９１】
実施例６：８０重量％のコア／２０重量％のメラミンホルムアルデヒド壁のカプセル
【００９２】
５０％ブチルアクリレート−アクリル酸コポリマー乳化剤（Ｃｏｌｌｏｉｄ  Ｃ３５１、固形分２５％、ｐＫａ４．５−４．７、Ｋｅｍｉｒａ社）と５０％ポリアクリル酸（固形分３５％、ｐＫａ１．５−２．５、Ａｌｄｒｉｃｈ社）とのブレンド１８グラムを２００グラムの脱イオン化水に溶解させ、混合する。得られた溶液のｐＨを水酸化ナトリウム溶液で３．５に調整する。部分メチル化されたメチロールメラミン樹脂溶液（“Ｃｙｍｅｌ  ３８５”  固形分８０％、Ｃｙｔｅｃ社）６．５グラムをこの乳化剤溶液に加える。この混合物に機械的に撹拌しながら香油２００グラムを加え、温度を６０℃まで上げる。安定したエマルジョンが得られるまで高速で混合した後、第２の溶液と硫酸ナトリウム塩３．５グラムをエマルジョンに注ぐ。この第２溶液は、ブチルアクリレート−アクリル酸コポリマー乳化剤（Ｃｏｌｌｏｉｄ  Ｃ３５１、固形分２５％、ｐＫａ４．５−４．７、Ｋｅｍｉｒａ社）１０グラムと、脱イオン水１２０グラムとｐＨを４．６に調整するための水酸化ナトリウムと、部分メチル化されたメチロールメラミン樹脂（“Ｃｙｍｅｌ  ３８５”  固形分８０％、Ｃｙｔｅｃ社）３０グラムとを含む。この混合物を７５℃に加熱し、連続的に撹拌しながら６時間放置しカプセル化を終了させる。アセトアセトアミド（米国、ミズーリー州、セントルイス所在のＳｉｇｍａ−Ａｌｄｒｉｃｈ社）２３グラムを懸濁液に加える。
【００９３】
実施例７：８０重量％のコア／２０重量％のメラミンホルムアルデヒド壁のカプセル
【００９４】
ブチルアクリレート−アクリル酸コポリマー乳化剤（Ｃｏｌｌｏｉｄ  Ｃ３５１、固形分２５％、ｐＫａ４．５−４．７、Ｋｅｍｉｒａ社）２０グラムを２００グラムの脱イオン水に溶かし、混合する。得られた溶液のｐＨを水酸化ナトリウム溶液で５．５に調整する。部分メチル化されたメチロールメラミン樹脂溶液（“Ｃｙｍｅｌ  ３８５”  固形分８０％、Ｃｙｔｅｃ社）６グラムを乳化剤溶液に加える。この混合物に機械的に撹拌しながら香油２００グラムを加え、温度を５５℃まで上げる。安定したエマルジョンが得られるまで高速で混合した後、第２の溶液と硫酸ナトリウム塩９グラムをエマルジョンに注ぐ。この第２溶液は、ポリアクリル酸（固形分３５％、ｐｋａ１．５−２．５、Ａｌｄｒｉｃｈ社）８グラムと、脱イオン水１２０グラムとｐＨを４．４に調整するための水酸化ナトリウムと、部分メチル化されたメチロールメラミン樹脂（“Ｃｙｍｅｌ  ３８５”  固形分８０％、Ｃｙｔｅｃ社）３５グラムとを含む。この混合物を８０℃に加熱し、連続的に撹拌しながら４時間放置しカプセル化を終了させる。アセトアセトアミド（米国、ミズーリー州、セントルイス所在のＳｉｇｍａ−Ａｌｄｒｉｃｈ社）２３グラムを懸濁液に加える。
【００９５】
実施例８
マイクロカプセルを含む製品処方の例を以下の表にまとめる。
【００９６】
2010522778.tif 000003
ａ  Ｎ，Ｎ−ジ（タロウオキシエチル）−Ｎ，Ｎ−ジメチルアンモニウムクロライド
ｂ  メチルビス（タロウアミドエチル）２−ヒドロキシエチルアンモニウムメチルサルフェート
ｃ  モル比１．５：１の脂肪酸とメチルジエタノールの反応生成物をメチルクロライドで４級化して得られたＮ，Ｎ−ビス（ステアロイル−オキシ−エチル）Ｎ，Ｎ−ジメチルアンモニウムクロライドおよびＮ−（ステアロイル−オキシ−エチル）Ｎ，−ヒドロキシエチルＮ，Ｎジメチルアンモニウムクロライドの１：１モル比の混合物
ｄ  Ｎａｔｉｏｎａｌ  Ｓｔａｒｃｈ社より商標ＣＡＴＯで入手可能なカチオン性高アミロースコーンスターチ
ｅ  Ａｌｄｒｉｃｈ社より入手可能なアセトアセトアミド
ｆ  米国特許第５，５７４，１７９号の１５欄、１〜５行目に記載されている式で表されるエチレンオキシドとテレフタレートのコポリマーであり、式中のＸはメチル基であり、ｎは４０、ｕは４、Ｒは１，４−フェニレン部分、Ｒ２はエチレン、１，２−プロピレン部分またはこれらの混合物を表す。
ｇ  Ｗａｃｋｅｒ社製ＳＥ３９
ｈ  ジエチレントリアミンペンタ酢酸
ｉ  Ｒｏｈｍ  ａｎｄ  Ｈａａｓ  Ｃｏ．社より入手可能な商標ＫＡＮＴＨＯＮ  ＣＧ。「ＰＰＭ」は「百万分の一」である。
ｊ  グルタアルデヒド
ｋ  Ｄｏｗ  Ｃｏｒｎｉｎｇ  Ｃｏｒｐ．社より商品名ＤＣ２３１０で入手可能なシリコーン消泡剤
ｌ  Ｒｏｈｍ  ａｎｄ  Ｈａａｓ社より商品名Ａｃｕｌａｎ  ４４で入手可能な疎水変性されたエトキシレート化されたウレタン
＊  実施例１から８のマイクロカプセルの好ましい組み合わせ
【００９７】
実施例９  ドライ洗濯（Ｄｒｙ  Ｌａｕｎｄｒｙ）組成物のマイクロカプセル
2010522778.tif 000004
＊  マイクロカプセルを３５％の活性スラリーとして加えた。コア／壁比は、８０／２０〜９０／１０の範囲で取り得る。平均粒径は、５μｍ〜５０μｍの範囲で取り得る。
【００９８】
実施例１０  液状洗濯組成物  （ＨＤＬｓ）
2010522778.tif 000005
＊  本発明の教示内容に従った香料マイクロカプセル
【００９９】
ここに開示した寸法および値は、当然のことながら記載された数値に厳格に限定されるものではない。当然、特に明記していない限り、ここに開示した各寸法は、その数値およびその数値の周囲の機能的に同等な範囲の両方を意味するものである。例えば、「４０ｎｍ」と開示された寸法は、「約４０ｎｍ」を意味するものである。
【０１００】
本発明の詳細な説明の項で引用した全ての文献は、関連する部分において、参照をもって本明細書に引用したものとし、いかなる文献の引用も本発明に関する従来技術として認めた解釈されるものではない。本明細書中の用語の意味または定義が参照することによって引用したものとする文献の同じ用語の意味または定義と矛盾する範囲において、本明細書の用語に割り当てられた意味または定義を採用する。
【０１０１】
本発明の特定の態様を例示および説明してきたが、当然のことながら当業者であれば種々の変更および修正が本発明の精神および範囲を逸脱することなく可能である。従って、本発明の範囲内にある当該変更および修正は、全て特許請求の範囲に包含されるものである。
【国際調査報告】
2010522778.tif 000006
2010522778.tif 000007